(57)【特許請求の範囲】
【請求項１】
頸部周りの左右肩部、胸部を経て腹部下部までの胴部前面部分を保護するプロテクター本体における、少なくとも左右いずれかの肩部に肩パットが設けられている肩パット付きプロテクターであって、
肩部のクッション部分の前面に肩パットのクッション部分の一部が重合配置され、肩部の周縁部分を除くクッション部分と肩パットの周縁部分との重なり部分同士が、それの上端と下端とを結ぶ直線よりも上下中間部が左右方向の内方側に位置する非線形状に沿う縫着部を介して縫着されている肩パット付きプロテクター。
【請求項２】
前記プロテクター本体のクッション部が、ベースクッション体とそれの前面の所要箇所に積層形成される補強クッション体とを内装して構成されているとともに、前記肩パットが、ベースクッション体のみが存在する肩部の重合部分に縫着されている請求項１記載の肩パット付きプロテクター。
【請求項３】
前記縫着部が、肩部から腹部に向けて下方に移行する程、外方に変位する湾曲形状に構成されている請求項１又は２記載の肩パット付きプロテクター。
【発明の詳細な説明】
【０００１】
【発明の属する技術分野】
本発明は、キャッチャーや審判の胴部前面を保護する肩パット付きプロテクターに関する。
【０００２】
【従来の技術】
一般に、野球やソフトボール等のキャッチャーにおいては、捕球し損ねたボール、バウンドしたりしてキャッチャーミットで取り損ねた返球、チップボールなどの予測できないボールなどから体を保護するために、頭部にはヘルメット、顔部にはフェイスマスク、首周りの胸部から下腹に至る胴部にはプロテクター、大腿下部から足の甲に至る下脚部にはレガーツ等の安全保護具を装着している。
前記プロテクターにおいては、頸部周りの左右肩部、胸部を経て腹部下部までの胴部前面部分を構成するクッション性を有するプロテクター本体を胴部に装着可能にするものを基本にして、プロテクター本体の少なくとも左右いずれかの肩部にクッション性を有する肩パットが設けられているものなどが存在している。
前記肩パット付きプロテクターＡＡとしては、図６に示すように、プロテクター本体１００の肩部外方周縁部１００ａに、肩パット２００の内方周縁部２００ａを直線状の重合縫着によって取付けられた構成のものが主流となっている。
【０００３】
【発明が解決しようとする課題】
ところが、この種の肩パット付きプロテクターＡＡにおいては、肩部ａａから肩パット２００が連続して設けられているので、投球に際して肩が肩パット２００を押し付けて前側に移動するに追従して肩部ａａが一緒に前側に移動し、この肩部ａａの移動をプロテクター本体１００から見ればプロテクター本体１００に対して肩部ａａが弾性力に抗して前側に折れ曲がり移動するような状態となり、曲げによる反力が肩への抵抗感になるため投球動作中に肩に僅かながらも違和感を生じる点が指摘されている。
また、この肩パット付きプロテクターＡＡでは、投球に際して肩が肩パット２００を押し付けて、肩部ａａから前方に肩パット２００が折れ曲がることによって、肩パット２００が投球動作の邪魔にならないような構成になっているので、投球動作が終了して肩が元の非投球状態に戻っても、肩パット２００は肩に直に戻らなかったり、肩と肩パット２００との間に隙間のある戻り状態になったり、場合によっては折れ曲った状態のままになることがあり、多少なりとも無防備な肩パット状態を形成する問題がある。
【０００４】
本発明は、上述の実状に鑑みて為されたものであって、その主たる課題は、肩部に対して違和感のない投球動作を可能にすることができ、且つ、投球動作の肩の動きに肩パットが追従するとともに、投球を終えて元の位置に肩が戻る動作にも肩パットがスムーズに追従することができる肩パット付きプロテクターを提供する点にある。
【０００５】
【課題を解決するための手段】
本発明の請求項１による肩パット付きプロテクターの特徴構成は、頸部周りの左右肩部、胸部を経て腹部下部までの胴部前面部分を保護するプロテクター本体における、少なくとも左右いずれかの肩部に肩パットが設けられている肩パット付きプロテクターであって、肩部のクッション部分の前面に肩パットのクッション部分の一部が重合配置され、肩部の周縁部分を除くクッション部分と肩パットの周縁部分との重なり部分同士が、それの上端と下端とを結ぶ直線よりも上下中間部が左右方向の内方側に位置する非線形状に沿う縫着部を介して縫着されている点にある。
【０００６】
上記特徴構成によれば、肩部の周縁部分と肩パットとは縫着されていないことと、肩部と肩パットとの重なり部分同士がクッション部分であることによって、肩パットの動きに対して肩部が一緒に殆ど動くことがないので、肩パットの動きに対して肩部が一緒に動くことに起因して、肩に違和感を生じていた従来の肩パット付きプロテクターに比べて、そのような違和感を解消することができ、且つ、投球動作の肩の動きに追従して肩パットが肩部に対して前方にスムーズに折れ曲がって、投球動作の妨げになることがないとともに、肩部の周縁部分を除くクッション部分と肩パットの周縁部分との重なり部分同士が、それの上端と下端とを結ぶ直線よりも上下中間部が左右方向の内方側に位置する非線形状に沿う縫着部によって縫着されていることによって、肩パットの折れ曲がり量が大きくなる程、肩パットを折れ曲がりのない元の状態に戻そうとする反力が形成されることになり、投球を終えて元の非投球位置に肩が戻る動作に追従して、肩パットが肩部に対して折れ曲がりのない元の状態にスムーズに戻ることができるので、常に肩パットが肩を保護する状態を形成保持することができ、信頼性の高いプロテクターを形成することができる。
【０００７】
特に、本発明の特徴構成は、前記縫着部が、肩部のクッション部分と肩パットの周縁部分とが重なる部分に形成されている点にある。
【０００８】
上記特徴構成によれば、肩パットの周縁部と、交差する肩部の周縁部との交差重合部分は縫着されていないので、肩部のクッション部分に対して肩パットが動き易くなるとともに、肩パットの動きに肩部が一緒に動くことがないので、肩パットの動きが軽く違和感のないものにすることができる。
【０００９】
本発明の請求項２による肩パット付きプロテクターの特徴構成は、前記プロテクター本体のクッション部分が、ベースクッション体とそれの前面の所要箇所に積層形成される補強クッション体とを内装して構成されているとともに、前記肩パットが、ベースクッション体のみが存在する肩部の重合部分に縫着されている点にある。
【００１０】
上記特徴構成によれば、肩パットが肩部のベースクッション体上に重合状態で縫着されているので、プロテクター本体を胴部に装着した状態では、肩パットが肩前面と近接した状態にできるとともに、肩部との重合部分においても肩パットのクッション部分の厚みが加算された厚みを形成することになるので、肩に対する保護機能を損なうことない連結状態を形成することができる。
【００１１】
本発明の請求項３による肩パット付きプロテクターの特徴構成は、前記縫着部が、肩部から腹部に向けて下方に移行する程、外方に変位する湾曲形状に構成されている点にある。
【００１２】
上記特徴構成によれば、肩部に対して肩パットを前方に折れ曲げた場合、折れ曲がりに対抗する反力を、簡単な縫製形態の縫着部によって形成することができる。しかも、湾曲形状の縫製形態は縫製が容易で加工性がよい利点がある。
【００１３】
【発明の実施の形態】
〔実施形態〕
以下、本発明の実施形態の肩パット付きプロテクターを図面に基づいて説明する。この実施形態では、野球のキャッチャーが守備時に装着する肩パット付きプロテクターについて説明する。
【００１４】
この肩パット付きプロテクターＡは、図１〜図５に示すように、キャッチャーの上半身のうち、左右両肩部から胸部及び下腹部に亘る領域を保護するプロテクター本体１と、左右両肩部の夫々に縫着された肩パット２，２と、頸部保護パット３と、プロテクター本体１を上半身に装着可能にする取付バンド体４とから構成されている。
【００１５】
前記プロテクター本体１は、左右両肩部から胸部及び下腹部に亘る領域をカバーするベースクッション１Ｂと、ベースクッション体１Ｂの前面の所要箇所に積層形成される大小さまざまな形態の補強クッション体１Ｃ…とから構成されたスポンジ材や発泡樹脂材等からなるクッション部分１Ａに対して、表面側を、補強クッション体１Ｃ…の凹凸に沿って合成皮革、ナイロン生地又は布製の表面生地１Ｄで覆い、裏面側を、ベースクッション体１Ｂの領域に沿って、合成皮革、ナイロン生地又は布製の裏面生地１Ｅで覆い、これらを縫い合わせるとともに、周縁部を閉じ布１Ｆによって縁閉じ縫いして形成してある。このような構成によって、表面生地１Ｄと裏面生地１Ｅとの間に、ベースクッション体１Ｂと補強クッション体１Ｃとから構成されるクッション部分１Ａが内装される。
【００１６】
この実施形態において、前記ベースクッション体１Ｂは、例えば、図４に示すように、表面生地１Ｄ側と裏面生地１Ｅ側に対応して、素材のスポンジ材や発泡樹脂材等からなる２層構造のクッション１Ｂａ、１Ｂｂを配備して構成されている。
【００１７】
前記肩パット２は、腕上部の肩前面領域をカバーするスポンジ材や発泡樹脂材等からなるクッション部分２Ａに対して、表面側を、合成皮革、ナイロン生地又は布製の表面生地２Ｂで覆い、裏面側を、合成皮革、ナイロン生地又は布製の裏面生地２Ｃで覆い、これらを縫い合わせるとともに、周縁部を閉じ布２Ｄによって縁閉じ縫いして形成してある。
【００１８】
この実施形態において、前記クッション部分２Ａは、図４に示すように、表面生地２Ｂ側と裏面生地２Ｃ側とに対応して、素材のスポンジ材や発泡樹脂材等からなる２層構造のクッション２Ａａ、２Ａｂを配備して構成されている。
【００１９】
左右の肩パット２、２は，プロテクター本体１の肩部ａのクッション部分１Ａの前面に、肩パット２のクッション部分２Ａの一部が重合配置，詳しくは、図５に示すように、肩パット２が、ベースクッション体１Ｂのみが存在する肩部ａの重合部分Ｃに重合配置され、肩部ａの周縁部分を除く肩部ａ１と肩パット２との重なり部分同士，詳しくは、肩部２のクッション部分と肩パット２の周縁部分とが重なる部分同士が、それの上端と下端とを結ぶ直線よりも上下中間部が左右方向の内方側に位置する非線形状に沿う縫着部Ｂを介して縫着されている。
【００２０】
前記縫着部Ｂは、肩部から腹部に向けて下方に移行する程、外方に変位する湾曲形状の縫製によって構成されている。
【００２１】
前記取付バンド体４は、図２に示すように、プロテクター本体１の左右の肩部ａ，ａに亘って設けられた吊りバンド４Ａと、菱形状をなすプロテクター本体１の腹部左右両端に亘って設けられた止めバンド４Ｂと、吊りバンド４Ａの長手方向中間部分と止めバンド４Ｂの長手方向中間部分とに亘って、上側の吊りバンド４Ａと下側の止めバンド４Ｂに対して、着脱自在に連結可能な縦向き姿勢の連結バンド４Ｃ（図面には２点鎖線で図示）とから構成されている。
【００２２】
この実施形態の取付バンド体４は、胴部前面部分に対して、図２に示すように、吊りバンド４Ａの中間部分と止めバンド４Ｂの中間部分とに亘って連結バンド４Ｃが連結されている第１バンド形態（実線に２点鎖線表示の連結バンドを加えた状態）での装着状態、又は、吊りバンド４Ａと止めバンド４Ｂとから連結バンド４Ｃを取除いた第２バンド形態（実線のみで２点鎖線表示の連結バンドを除いた状態）での装着状態のいずれかを、使用者が好みによって選択使用することが可能になっている。ここで、第２バンド形態で使用する場合には、吊りバンド４Ａと頸周り装着部との接触面積を大きくして、頸周りへの荷重負担を軽減することが可能な頸パッドが４Ｄが付属されている。
【００２３】
このような構成にすることによって、図３、図４に示すように、投球動作の肩の動きに追従して肩パット２が肩部ａに対して前方にスムーズに折れ曲がって、投球動作の妨げになることがないとともに、肩部ａと肩パット２との重なり部分同士が上下方向で非線形状に沿う縫着部Ｂによって縫着されていることによって、肩パット２の折れ曲がり量が大きくなる程、肩パット２を折れ曲がりのない元の状態に戻そうとする反力が形成されることになるので、投球を終えて元の非投球位置に肩が戻る動作に追従して、肩パット２が肩部ａに対して折れ曲がりのない元の状態にスムーズに戻ることができる。
【００２４】
〔その他の実施形態〕
１）  上記実施形態では、プロテクター本体１の左右の肩部ａ，ａの夫々に肩パット２，２を縫着したものについて説明したが、本発明はこれに限らず、プロテクター本体１の左右の何れか一方の肩部ａに肩パット２を縫着したものであってもよい。
【００２５】
２）  上記実施形態では、非線形状に沿う縫着部Ｂが、湾曲形状の縫製形態のものについて説明したが、本発明はこれに限らず、くの字状などの屈曲形状、[ 状などの弓形形状等の縫製形態のものであってもよい。
【００２６】
３）  上記実施形態では、野球のキャッチャーが守備時に装着する肩パット付きプロテクターＡについて説明したが、本発明はこれに限らず、ソフトボールのキャッチャーが守備時に装着する肩パット付きプロテクター、或いは、野球やソフトボール等の審判が審判時に装着する肩パット付きプロテクターに本発明を適用するものであってもよい。
【００２７】
４）  上記実施形態では、プロテクター本体１のベースクッション１Ｂ、及び、肩部ａのクッション部分２Ａが、２層構造になっているものついて説明したが、本発明はこれに限らず、一層構造であっても、反対により多層構造であってもよい。
【００２８】
５）  取付バンド体４については、上記実施形態のものに限らず、Ｙ字状の吊り帯体の上側二股先端を、プロテクター本体１の左右の肩部ａ，ａに止着するとともに、吊り帯体の下側先端を、プロテクター本体１を止めバンド４Ｂに伸縮調整具を介して止着する構成のものであってもよい。
【図面の簡単な説明】
【図１】本発明の実施形態の肩パット付きプロテクターを示す正面図
【図２】本発明の実施形態の肩パット付きプロテクターの簡略背面図
【図３】使用状態を示す要部正面図
【図４】プロテクター本体の肩部と肩パットとの関係を示す平断面図
【図５】プロテクター本体の肩部と肩パットとの取付関係を示す要部分解説明図
【図６】従来の肩パット付きプロテクターの簡略正面図
【符号の説明】
Ａ          肩パット付きプロテクター
Ｂ          縫着部
ａ          肩部
１          プロテクター本体
１Ａ        クッション部分
２          肩パット
２Ａ        クッション部分
【図１】
0003678700.tif 000002
【図２】
0003678700.tif 000003
【図３】
0003678700.tif 000004
【図４】
0003678700.tif 000005
【図５】
0003678700.tif 000006
【図６】
0003678700.tif 000007